(57)【要約】      （修正有）【課題】第１に、接点不良が防止されて寿命が長く、安全性や耐久性が向上すると共に、第２に、工程が省け作業コストが低減されて、生産性が向上し、第３に、セルサイズの小さなものも製造可能な、ハニカムヒーターを提供する。【解決手段】このハニカムヒーター１０は、中心電極棒と外筒電極３との間に、ハニカム構造のヒーターエレメント４が収納されている。ヒーターエレメント４は、帯状をなす導電箔製の波板５と平板６と多層に巻き付けられると共に、各層７間に絶縁被膜８が介装されている。ヒーターエレメント４の最外層７’は、外側に絶縁被膜８が位置すると共に、巻終り端部１１の波板５又は平板６が長目に設定され、絶縁被膜８の端１２から露出している。そして外筒電極３と、ヒーターエレメント４の巻終り端部１１の露出した波板５又は平板６との間が、ろう材Ａにてろう付け接合されている。【選択図】図１
2006107978.tif 000002
【特許請求の範囲】
【請求項１】
中心電極棒と外筒電極との間に、ヒーターエレメントが収納されたハニカムヒーターであって、
該ヒーターエレメントは、帯状をなす導電箔製の波板と平板とが多層に巻き付けられると共に、形成された各層間に絶縁被膜が介装され、もって全体がロール状のハニカム構造をなしており、
該ヒーターエレメントの最外層は、外側に該絶縁被膜が位置すると共に、巻終り端部の該絶縁被膜側でない該波板又は平板が、該絶縁被膜の端部より長目に設定されて、該絶縁被膜の端から露出しており、
該中心電極棒と、該ヒーターエレメントの該波板や平板の巻始め端部との間が、ろう付け接合されると共に、該外筒電極と、該ヒーターエレメントの巻終り端部の露出した該波板又は平板との間が、ろう付け接合されていること、を特徴とするハニカムヒーター。
【発明の詳細な説明】
【技術分野】
【０００１】
本発明は、ハニカムヒーターに関する。すなわち、ロール状をなすハニカム構造のヒーターに関するものである。
【背景技術】
【０００２】
《技術背景について》
図２はハニカムヒーターを示し、（１）図は側断面図であり、（２）図は正面説明図である。
ハニカムヒーター１は、中心電極棒２と外筒電極３との間に、ヒーターエレメント４が収納された構造よりなる。ヒーターエレメント４は、帯状をなす導電箔製の波板５と平板６とが、多層に巻き付けられると共に、形成された各層７間に絶縁被膜８が介装されている。もって、全体がロール状をなすと共に、内部がハニカム構造をなし、波板５や平板６にて多数のセル空間９が区画形成されている。
そしてハニカムヒーター１は、そのヒーターエレメント４を、中心電極棒２側から外筒電極３側へと通電することにより、各層７の波板５と平板６が発熱し、もって、各層７のセル空間９を流れて通過するエアー等を、加熱するようになっている。
【０００３】
《先行技術文献情報》
このような従来例のハニカムヒーター１としては、例えば、次の特許文献１に示されたものが挙げられる。
【特許文献１】特開平８−１３１８３９号公報
【０００４】
《従来技術について》
図１の（２）図は、この種従来例の要部を拡大した側断面図である。さて、このようなハニカムヒーター１のヒーターエレメント４は、最外層７’について、外側に波板５や平板６が位置するタイプと、図１の（２）図に示したように、外側に絶縁被膜８が位置するタイプとがあった。
そして、前者タイプのハニカムヒーター１では、ヒーターエレメント４の最外層７’は、外側に波板５又は平板６が位置し、もってこの波板５又は平板６が外筒電極３と接する、接点構造よりなっていた。
これに対し、後者タイプのハニカムヒーター１では、ヒーターエレメント４の最外層７’は、外側に絶縁被膜８が位置し、もってこの絶縁被膜８が外筒電極３と接する、接点構造よりなっていた。なお図中Ａは、ヒーターエレメント４の波板５や平板６間をろう付け接合する、ろう材である。
【発明の開示】
【発明が解決しようとする課題】
【０００５】
ところで、このような従来例については、次の問題が指摘されていた。
《第１の問題点について》
第１に、前述した前者タイプのハニカムヒーター１、つまりヒーターエレメント４の最外層７’について外側に波板５又は平板６が位置し、もって外筒電極３と接触，導通される接点構造タイプのハニカムヒーター１については、接点不良が発生し易く、寿命も短い、という問題が指摘されていた。
すなわち、このようなタイプの接点構造では、ヒーターエレメント４が使用時の通電，発熱により熱膨張すると共に、事後の冷却により収縮し、長期間これらを繰り返すうちに、ヒーターエレメント４の最外層７’の波板５又は平板６と、外筒電極３との間に隙間が発生し、もって外筒電極３との間に接点不良が発生し易かった。
つまり、ヒーターエレメント４の最外層７’の波板５又は平板６は、全面的・全エリア的に外筒電極３に対する接点として機能しているが、上述により発生した隙間が原因となって、外筒電極３に対して接触したり離れたりして、ショートやスパークを起こし易く、寿命が短かった。又、車載使用される場合は振動も加わり、このような問題が発生し易かった。
なお、このようなタイプの接点構造については、ヒーターエレメント４の最外層７’の波板５又は平板６と、外筒電極３との間を、全面的・全エリア的にろう付け接合することも行われていたが、これでは、最外層７’の波板５や平板６と外筒電極３とが一体化してしまう、という弊害があった。つまり、ヒーターエレメント４の最外層７’が外筒電極３と一体化した分だけ、発熱用の電気抵抗体として機能する部分・長さが減少してしまい、その分だけ発熱量・発熱効率が低下してしまう、という大きな難点があり、問題解決には至らなかった。
そこで、この種タイプの接点構造のハニカムヒーター１については、依然として、安全性や耐久性に問題が指摘されていた。
【０００６】
《第２の問題点について》
第２に、前述した後者タイプのハニカムヒーター１、つまりヒーターエレメント４の最外層７’について外側に絶縁被膜８が位置したタイプのハニカムヒーター１は、図１の（２）図に示したように、絶縁被膜８の端部を削り取ると共に、波板５又は平板６の巻終り端部（図示例では平板６の巻終り端部）と外筒電極３との間を、スポット溶接Ｂした接点構造よりなっていた。そして、このようなタイプの接点構造では、絶縁被膜８の削り取り箇所Ｃの削り取り作業が容易でなく、生産性が悪い、という問題が指摘されていた。
すなわち、この種タイプの接点構造のハニカムヒーター１については、ヒーターエレメント４の最外層７’について、外側に位置する絶縁被膜８の端部を、削り取り箇所Ｃとして削り落として剥がす工程が、非常に面倒で煩わしく手間がかかり、作業コストがかさむ、という問題があった。
【０００７】
《第３の問題点について》
第３に、更に後者タイプのハニカムヒーター１については、セルサイズの小さなハニカムヒーター１が製造できない、という問題も指摘されていた。
すなわち、後者タイプのハニカムヒーター１の接点構造では、前述したように、ヒーターエレメント４の最外層７’について、絶縁被膜８の削り取り箇所Ｃの波板５又は平板６の巻終り端部と外筒電極３との間が、スポット溶接Ｂされる。そして、このスポット溶接Ｂは、スポット溶接機先端を該箇所に形成されたセル空間９に挿入することにより、実施されていた。
そこで、形成されたセル空間９が小さい場合、つまりセルサイズが小さなヒーターエレメント４，ハニカムヒーター１の場合は、スポット溶接機先端が、ハニカム構造のセル空間９内にはいらず、結局、スポット溶接Ｂできなかった。
このように、この種タイプのハニカムヒーター１については、セルサイズの小さなものが製造できない、という問題が指摘されていた。
【０００８】
《本発明について》
本発明のハニカムヒーターは、このような実情に鑑み、上記従来例の課題を解決すべくなされたものである。そして、ヒーターエレメントの最外層について、外側に絶縁被膜を位置させると共に、絶縁被膜から波板又は平板の巻終り端部を若干露出させて、外筒電極とろう付け接合した接点構造を採用したこと、を特徴とする。
もって本発明は、第１に、接点不良が防止され、寿命も長く、第２に、生産性が向上し、第３に、セルサイズの小さなものも製造可能な、ハニカムヒーターを提案することを目的とする。
【課題を解決するための手段】
【０００９】
《請求項について》
このような課題を解決する本発明の技術的手段は、次のとおりである。このハニカムヒーターは、中心電極棒と外筒電極との間に、ヒーターエレメントが収納されている。該ヒーターエレメントは、帯状をなす導電箔製の波板と平板とが、多層に巻き付けられると共に、形成された各層間に絶縁被膜が介装され、もって全体がロール状のハニカム構造をなしている。
そして、該ヒーターエレメントの最外層は、外側に該絶縁被膜が位置すると共に、巻終り端部の該絶縁被膜側でない該波板又は平板が、該絶縁被膜の端部より長目に設定されて、該絶縁被膜の端から露出している。
そして該中心電極棒と、該ヒーターエレメントの該波板や平板の巻始め端部との間が、ろう付け接合されると共に、該外筒電極と、該ヒーターエレメントの巻終り端部の露出した該波板又は平板との間が、ろう付け接合されていること、を特徴とする。
【００１０】
《作用について》
本発明は、このようになっているので、次のようになる。このハニカムヒーターは、波板と平板を絶縁被膜を介し多層に巻き付けたヒーターエレメントを、巻始め端部，中心電極棒側から、巻終り端部，外筒電極側へと通電することにより、各層の波板や平板が全長にわたり発熱し、もって、各セル空間を流れるエアー等を加熱すべく使用される。
そして、ヒーターエレメントの最外層について、外側に絶縁被膜が位置すると共に、巻終り端部の波板又は平板が、絶縁被膜から露出するように長目に設定されて、外筒電極にろう付け接合された接点構造よりなる。
【００１１】
そこで第１に、このハニカムヒーターでは、ヒーターエレメントの最外層の絶縁被膜から露出した波板又は平板の端部エリアのみが、部分的に外筒電極にろう付け接合された接点構造よりなる。
従って、熱膨張や収縮により、ヒーターエレメントの最外層と外筒電極間に隙間が生じても、端部エリアのみのろう付け接合により、接点不良，ショート，スパーク等の発生は防止される。これと共に、ヒーターエレメントの最外層が、外筒電極に対し全面的・全エリア的にろう付け接合され、一体化されている訳ではないので、発熱量・発熱効率の低下もない。
第２に、このハニカムヒーターでは、ヒーターエレメントの最外層について、外側の絶縁被膜から波板又は平板を露出させて、外筒電極にろう付け接合した接点構造よりなる。そして、このような簡単な構成により、絶縁被膜の削り取りを伴うことなく、容易に上述した第１の点が実現される。
第３に、このハニカムヒーターは、ヒーターエレメントの最外層の波板又は平板の巻終り端部を、外筒電極にろう付け接合した接点構造よりなる。このように、ろう付け接合により接点接続が行われており、セル空間を利用してスポット溶接する必要もない。もって、セルサイズの小さなハニカム構造のハニカムヒーターも、製造可能である。
【発明の効果】
【００１２】
《本発明の特徴》
本発明に係るハニカムヒーターは、このように、ヒーターエレメントの最外層について、外側に絶縁被膜を位置させると共に、絶縁被膜から波板又は平板の巻終り端部を若干露出させて、外筒電極とろう材接合した接点構造を採用したこと、を特徴とする。
そこで本発明は、次の効果を発揮する。
【００１３】
《第１の効果》
第１に、接点不良が防止され、寿命も長くなる。すなわち、本発明のハニカムヒーターの接点構造では、ヒーターエレメントの最外層の露出した波板又は平板の巻終り端部エリアのみが、外筒電極にろう付け接合されている。
そこで、前述したこの種従来例、つまり最外層の波板又は平板を全面的・全エリア的に外筒電極に接触，導通させていた従来例のように、熱膨張と冷却により生じた隙間に起因して、接点不良，ショート，スパーク等が発生することが防止されると共に、ヒーターとしての寿命も長くなる。
これと共に、この種従来例のように、全面的・全エリア的に外筒電極とろう付け接合される訳ではないので、一体化による発熱量・発熱効率の低下の弊害もない。このように、安全性や耐久性が向上すると共に、効率低下の弊害もない。
【００１４】
《第２の効果》
第２に、生産性が向上する。すなわち、本発明のハニカムヒーターの接点構造では、上述した第１の点が、簡単容易に実現される。
本発明では、前述したこの種従来例、つまりヒーターエレメントの最外層の絶縁被膜の巻終り端部を削り取っていた従来例のように、面倒で煩わしく手間取る削り落し作業，剥がし工程を、要しない。もってその分、工程が省け作業コストも低減される等、生産性が向上する。
【００１５】
《第３の効果》
第３に、セルサイズの小さなものも製造可能である。すなわち、本発明のハニカムヒーターは、各種セルサイズのものが支障なく製造できる。
本発明では、前述したこの種従来例のように、ヒーターエレメントの最外層の波板又は平板の巻終り端部を外筒電極に対し、セル空間を利用してスポット溶接する工程を、要しない。このように、セル空間内にスポット溶接機先端を挿入する作業を要しないので、セルサイズの小さなハニカムヒーターも支障なく製造可能である。
このように、この種従来例に存した課題がすべて解決される等、本発明の発揮する効果は、顕著にして大なるものがある。
【発明を実施するための最良の形態】
【００１６】
《図面について》
以下、本発明のハニカムヒーターを、図面に示した発明を実施するための最良の形態に基づいて、詳細に説明する。
そして、図１の（１）図は、本発明を実施するための最良の形態の説明に供し、要部を拡大した側断面図である。
図２は、ハニカムヒーターを示し、（１）図は、側断面図であり、（２）図は、正面説明図である。図３の（１）図は、ハニカムヒーターの斜視図、（２）図は、その外筒電極の斜視図、（３）図は、中心電極棒の斜視図、（４）図は、波板の斜視図、（５）図は、平板の斜視図である。
【００１７】
《ハニカムヒーター１０について》
まず、図２，図３等を参照して、ハニカムヒーター１０について一般的に説明する。ハニカムヒーター１０は、中心電極棒２と外筒電極３との間に、ヒーターエレメント４が収納された構造よりなる。そしてヒーターエレメント４は、帯状をなす導電箔製の波板５と平板６とが、多層に巻き付けられると共に、形成された各層７間にそれぞれ絶縁被膜８が介装され、もってロール状のハニカム構造をなす。
そして中心電極棒２と、ヒーターエレメント４の波板５や平板６の巻始め端部との間が、ろう材Ａにてろう付け接合されると共に、外筒電極３と、ヒーターエレメント４の波板５又は平板６の巻終り端部１１との間が、ろう材Ａにてろう付け接合されている。
【００１８】
このようなハニカムヒーター１０について、更に詳述する。まず、図３の（３）図に示したように、ハニカムヒーター１０の中心電極棒２は、例えばステンレスその他の導電金属製よりなり、径小の直線円柱棒状をなしており、電極接続部材や配線（図示せず）を介して、電源に接続されている。なお中心電極棒２は、係止スリットが軸方向Ａに沿って形成されており、巻き取り棒としても兼用されている。
又、図３の（２）図に示したように、ハニカムヒーター１０の外筒電極３は、例えばステンレスその他の導電金属製よりなり、径大の円筒状をなし、電極接続部材や配線（図示せず）を介し、電源に接続されている。なお外筒電極３は、収納ハウジングとしても兼用されている。
【００１９】
次に、ハニカムヒーター１０のヒーターエレメント４は、波板５と平板６とを多層に巻き付けてなると共に、形成された各層７間に絶縁被膜８が介装されており、全体形状がロール状をなし、内部がハニカム構造をなす。
このようなヒーターエレメント４について、更に詳述する。まず、図３の（４）図，（５）図に示したように、波板５や平板６は、ステンレス箔その他の導電金属箔製よりなり、波板５は、波形の凹凸が短手方向に直線的に平行かつ長手方向に繰り返し連続的に、所定ピッチと高さで折曲形成されてなる。そして、同一幅と長さの帯状の波板５と平板６とが、準備，使用される。
そしてヒーターエレメント４は、図２（１）図，（２）図，図３の（１）図等に示したように、このような１枚の波板５と、１枚又は２枚（図示例では１枚）の平板６と、接合用のろう材Ａとが、１組となって中心電極棒２を中心に、順次交互に位置するように、重ね合わせられつつ多層に巻き取られると共に、各層７を形成する波板５と平板６間が、ろう材Ａの加熱，加圧により、ろう付け接合されている。
なお、波板５や平板６の枚数は、上記枚数によらず更に何枚でも使用可能である。又、波板５と平板６間に全周的に介装されるろう材Ａは、１枚の帯状のものが軸方向Ｄに全体的に、又は軸方向Ｄに複数本の細帯状のものに分けて部分的に用いられ、例えばニッケル基ろう材が使用される。なお、このようなろう材Ａを使用，介装しない例も可能である。
【００２０】
そして、このようなヒーターエレメント４の各層７間には、絶縁被膜８が介装されている。多くの場合、この絶縁被膜８は、波板５又は平板６の表裏いずれかの片面について、巻き取り前に予め絶縁処理を施しておくことにより、形成される。図示例では、平板６の片面について、コーティングにより絶縁処理が施されている。この絶縁処理には、例えばアルミナ，ジルコニア，又は（大気焼成によって作られる）酸化被膜、等が用いられる。
このように、このヒーターエレメント４では、各層７を形成する波板５と平板６間が、介装されたろう材Ａにてろう付け接合されると共に、隣接する各層７間の波板５と平板６間が、介装された絶縁被膜８にて電気的に絶縁されている。
このヒーターエレメント４は、このような波板５と平板６にて構成されており、波板５と平板６をセル壁として、各々独立空間に区画形成された中空柱状の多数のセル空間９の平面的集合体よりなり、ハニカム構造をなす。そして、波板５および平板６の最内周の巻始め端部が、中心電極棒２に対しろう材Ａにてろう付け接合され、電気的に接続されている。又、波板５又は平板６の最外周の巻終り端部１１が、外筒電極３に対しろう材Ａにてろう付け接合され、電気的に接続されている。
そしてヒーターエレメント４は、中心電極棒２や外筒電極３と同軸に軸方向Ｄに配されつつ、外筒電極３内に収納されている。
ハニカムヒーター１０は、このようになっている。
【００２１】
《巻終り端部１１の接点構造について》
さて、このハニカムヒーター１０では、図１の（１）図に示したように、次の接点構造が採用されている。
すなわち、ヒーターエレメント４の最外層７’は、外側に絶縁被膜８が位置すると共に、巻終り端部１１の絶縁被膜８側でない波板５又は平板６が、絶縁被膜８の端部より長目に設定されて、絶縁被膜８の端１２から露出している。
そして、外筒電極３と、ヒーターエレメント４の巻終り端部１１の露出した波板５又は平板６との間が、ろう材Ａにてろう付け接合されている。
【００２２】
このような接点構造について、更に詳述する。まず前提として、このハニカムヒーター１０のヒーターエレメント４は、最外層７’において、外側（最外周）つまり外筒電極３側に、絶縁被膜８が位置するタイプよりなる。つまり、そのような位置関係のもとに、波板５や平板６等が巻かれている。
これと共に、このヒーターエレメント４の最外層７’では、外側の絶縁被膜８側ではない内側の波板５又は平板６の巻終り端部１１が、絶縁被膜８より長目に設定されて、絶縁被膜８の端１２から露出している。図示例では、表面が絶縁処理されて絶縁被膜８が形成されている外側の平板６ではなく、絶縁処理されていない内側の波板５が、巻終り端部１１において、絶縁被膜８や平板６より長目に設定され、もって絶縁被膜８の端１２や平板６の端から露出している。
なお図示例によらず、最外層７’について、波板５の方が平板６より外側に位置すると共に、絶縁被膜８が波板５の表面に形成されている場合は、内側の平板６の巻終り端部１１の方が長目に設定されて、絶縁被膜８の端１２や波板５の端から露出するようになる。
【００２３】
そして、このように長目で露出した波板５又は平板６の巻終り端部１１、図示例では波板５の巻終り端部１１が、ろう材Ａにて、外筒電極３内面にろう付け接合されている。
ところで図示例では、このようなろう材Ａとして、波板５と平板６間に介装されてろう付け接合するろう材Ａが、利用されている。すなわち、外筒電極３との接合用にわざわざろう材Ａを介装するのではなく、波板５と平板６間の接合用に介装されるろう材Ａを、図示例では波板５に準じて長目に設定して露出させ、もって波板５と外筒電極３の接合用に用いてなる。
又、このような波板５又は平板６の巻終り端部１１と外筒電極３間のろう材Ａによる接合は、そのエリアの全部又は一部について実施される。つまり、波板５又は平板６（図示例では波板５）の巻終り端部１１エリアについて、軸方向Ｄに全体的・全エリアで、又は、軸方向Ｄに間隔を置いて分割された複数エリアで、又は、軸方向Ｄに部分的な一部単数エリアで、ろう材Ａによるろう付け接合は行われる。
なお、このようなろう付け接合は、介装されたろう材Ａを加圧，加熱することにより実施され、溶融硬化したろう材Ａにて付近がブロック状に塊化される。
巻終り端部１１の接点構造は、このようになっている。
【００２４】
《作用等》
本発明のハニカムヒーター１０は、以上説明したように構成されている。そこで、以下のようになる。
このハニカムヒーター１０は、ハニカム構造のヒーターエレメント４を、中心電極棒２側から外筒電極３側へと通電することにより、発熱する。
すなわち、帯状の導電箔製の波板５と平板６が絶縁被膜８を介し多層に巻き付けられたヒーターエレメント４について、その巻始め端部と巻終り端部１１間に電圧を印加することにより、つまり中心電極棒２側から外筒電極３側へと通電することにより、ヒーターエレメント１０の各層７の波板５や平板６が、全長にわたり略螺旋状・渦巻状の電気抵抗体となって、発熱する（図２の（１）図，（２）図，図３の（１）図等を参照）。
もって、このハニカムヒーター１０は、例えばダクト等に介装され、ヒーターエレメント４の発熱するセル壁（波板５や平板６）にて区画形成された各セル空間９を流れるエアー等を、加熱すべく使用される。つまりハニカムヒーター１０は、単位容積当たりのセル壁の表面積が大であるというハニカム構造の特性を生かし、各セル空間９を分散して通過するエアー等を、効果的に加熱する。
そして、このハニカムヒーター１０では、ヒーターエレメント４の最外層７’について、外側に絶縁被膜８が位置すると共に、巻終り端部１１の波板５又は平板６が、絶縁被膜８の端１２から露出するように、長目に設定されている。そして、露出した巻終り端部１１が外筒電極３に対し、ろう材Ａにてろう付け接合された接点構造よりなる（図１の（１）図を参照）。
そこで、このハニカムヒーター１０では、次の第１，第２，第３のようになる。
【００２５】
第１に、このハニカムヒーター１０の接点構造では、ヒーターエレメント４の最外層７’において、絶縁被膜８から若干露出した波板５又は平板６の巻終り端部１１エリアのみが、外筒電極３に対し、ろう材Ａにて部分的にろう付け接合されている。
そこで、このハニカムヒーター１０は、使用時の通電，発熱による熱膨張と事後の冷却による収縮との繰り返しにより、ヒーターエレメント４の最外層７’と外筒電極３との間に隙間が生じた場合でも、若干露出した波板５又は平板６の巻終り端部１１エリアのみが、ろう材Ａにてろう付け接合されているので、接点不良（接触不良），ショート，スパーク等の発生は防止される。
これと共に、このハニカムヒーター１０では、ヒーターエレメント４の最外層７’の波板５又は平板６が、外筒電極３に対し全面的・全エリア的にろう付け接合されている訳ではないので、最外層７’と外筒電極３との一体化による発熱量・発熱効率の低下もない。
【００２６】
第２に、このハニカムヒーター１０の接点構造では、ヒーターエレメント４の最外層７’について、外側の絶縁被膜８の端部より、内側の波板５又は平板６の巻終り端部１１を、予め若干長目に設定し、絶縁被膜８の端１２より若干露出するようにしておいて、これを外筒電極３に対し、ろう材Ａにてろう付け接合してなる。
このハニカムヒーター１０は、このような簡単な構成により、絶縁被膜８の削り取りを伴うことなく（図１の（２）図中の削り取り箇所Ｃを参照）、容易に上述した第１の点が実現される。
【００２７】
第３に、このハニカムヒーター１０の接点構造は、ヒーターエレメント４の最外層７’の露出させた波板５又は平板６の巻終り端部１１を、外筒電極３に対しろう付け接合してなる。
このように、ろう材Ａの加熱，加圧によるろう付け接合により、外筒電極３との接点接続が行われており、セル空間９を利用してスポット溶接Ｂ（図１の（２）図を参照）する必要もない。
もって、このハニカムヒーター１０は、セル空間９つまりセルサイズの小さなハニカム構造のヒーターエレメント４そしてハニカムヒーター１０も、必要に応じ支障なく製造可能である。
【図面の簡単な説明】
【００２８】
【図１】（１）図は、本発明に係るハニカムヒーターについて、発明を実施するための最良の形態の説明に供し、要部を拡大した側断面図である。（２）図は、この種従来例の要部を拡大した側断面図である。
【図２】ハニカムヒーターを示し、（１）図は、側断面図であり、（２）図は、正面説明図である。
【図３】（１）図は、ハニカムヒーターの斜視図、（２）図は、その外筒電極の斜視図、（３）図は、中心電極棒の斜視図、（４）図は、波板の斜視図、（５）図は、平板の斜視図である。
【符号の説明】
【００２９】
１  ハニカムヒーター（従来例）
２  中心電極棒
３  外筒電極
４  ヒーターエレメント
５  波板
６  平板
７  層
７’最外層
８  絶縁被膜
９  セル空間
１０  ハニカムヒーター（本発明）
１１  巻終り端部
１２  端（絶縁被膜）
Ａ  ろう材
Ｂ  スポット溶接
Ｃ  削り取り箇所
Ｄ  軸方向
【図１】
2006107978.tif 000003
【図２】
2006107978.tif 000004
【図３】
2006107978.tif 000005